(57)【要約】      （修正有）【課題】パターンコードを識別可能な温度計測装置及びそのシステムを提供する。【解決手段】温度計測装置１は、ハウジング１０、温度採集器、主制御手段、給電手段、表示手段４０を含み、温度採集器は、ユーザーの皮膚表面における体温データを採集し、温度採集器、給電手段、表示手段が、いずれも主制御手段と繋がり、表示手段は、体温データを表示する温度計測装置であって、主制御手段が、パターンコード識別手段と通信手段をさらに接続し、パターンコード識別手段は、パターンコードにおけるユーザーの身分情報をキャプチャ可能であり、通信手段と環境における中継設備とは、無線接続が実現され、通信手段は、体温データと身分情報とからなるデータパケットを受信し中継設備に発信し、中継設備が、データパケットを監視センターに伝送する。【選択図】図１
0003227315.tif 000002
【実用新案登録請求の範囲】
【請求項１】
パターンコードを識別可能な温度計測装置であり、
ハウジング、温度採集器、主制御手段、給電手段、表示手段を含み、
前記温度採集器は、ユーザーの皮膚表面における体温データを採集し、
前記温度採集器、給電手段、表示手段が、いずれも前記主制御手段と繋がり、
前記表示手段は、前記体温データを表示する温度計測装置であって、
前記主制御手段が、パターンコード識別手段と通信手段をさらに接続し、
前記パターンコード識別手段は、前記パターンコードにおけるユーザーの身分情報をキャプチャ可能であり、
前記通信手段と環境における中継設備とは、無線接続が実現され、
前記通信手段は、前記体温データと身分情報とからなるデータパケットを受信し前記中継設備に発信し、
前記中継設備が、前記データパケットを監視センターに伝送することを特徴とする温度計測装置。
【請求項２】
前記通信手段は、ブルートゥースモジュール、４３３無線モジュール、ｚｉｇｂｅｅモジュール、ＷｉＦｉモジュール、２Ｇモジュール、３Ｇモジュール、４Ｇモジュール、５Ｇモジュールの何れか一つ又は複数を含むことを特徴とする請求項１に記載の温度計測装置。
【請求項３】
前記ブルートゥースモジュールが、環境におけるスマート設備と通信し、
前記スマート設備は、前記データパケットを監視センターに伝送可能である、ことを特徴とする請求項２に記載の温度計測装置。
【請求項４】
前記主制御手段は、ＩＣカード識別手段をさらに接続し、
前記ＩＣカード識別手段は、ＩＣカードにおけるユーザー情報を読み出す、ことを特徴とする請求項２に記載の温度計測装置。
【請求項５】
前記温度採集器、ＩＣカード識別手段、通信手段、給電手段、表示手段、パターンコード識別手段は、いずれもＳＰＩインターフェースにより前記主制御手段に接続される、ことを特徴とする請求項４に記載の温度計測装置。
【請求項６】
前記温度採集器は、温度サンサを含む、ことを特徴とする請求項１に記載の温度計測装置。
【請求項７】
温度計測装置、中継設備、監視平台を含み、前記温度計測装置、中継設備、監視平台が順に接続されるパターンコードを識別可能な温度計測装置を有するシステムであって、
前記温度計測装置は、請求項１から６の何れかに記載の温度計測装置である、ことを特徴とするシステム。
【請求項８】
前記システムは、スマート末端をさらに含み、
前記スマート末端は、スマートフォンであり、
前記中継設備は、データ受信設備又は信号基地局である、ことを特徴とする請求項７に記載のシステム。
【考案の詳細な説明】
【技術分野】
【０００１】
本実用新案は、温度計測装置に関し、特にパターンコードを識別可能な温度計測装置及びそのシステムに関する。
【背景技術】
【０００２】
先行技術では、特に重大な疫病ケースにおいて、人々が潜伏性ウイルスキャリアを調べる場合、まず体温を測定し、患者が発熱しているかどうかを確認し、患者が発熱しているかどうかを知ることには、まず体温の正常な変化を知る必要がある。正常な体温の変化正常な人間の平均口腔温度は、摂氏約３７度（華氏９８．６度）である。肛門の温度は一般に摂氏０．５度（華氏０．９度）高くなる。脇の下の温度は一般に０．５℃低くなる。人体の通常の体温は約３７°Ｃで、体温が低すぎるか高すぎる場合も病気にかかる可能性がある。
【０００３】
一般に、疫病の広がりを防ぐために、人々は温度銃を使用して地域の人々の温度を測定するが、従来技術では、温度銃にはパターンコード認識機能がなく、パターンコードによりユーザーの身分情報をキャプチャできず、パターンコードにおける身分情報により具体的な被測者の温度データをマクロ繋がることができず、各ユーザーの過去の気温データを作成することは便利ではないが、重大な隠れた疫病を見つけることは便利ではない。
【考案の概要】
【０００４】
以上の問題を解決するために、本実用新案は、パターンコードを識別可能な温度計測装置及びそのシステムを提供する。
【０００５】
本実用新案は、パターンコードを識別可能な温度計測装置であり、ハウジング、温度採集器、主制御手段、給電手段、表示手段を含み、前記温度採集器は、ユーザーの皮膚表面における体温データを採集し、前記温度採集器、給電手段、表示手段が、いずれも前記主制御手段と繋がり、前記表示手段は、前記体温データを表示する温度計測装置であって、前記主制御手段が、パターンコード識別手段と通信手段をさらに接続し、前記パターンコード識別手段は、前記パターンコードにおけるユーザーの身分情報をキャプチャ可能であり、前記通信手段と環境における中継設備とは、無線接続が実現され、前記通信手段は、前記体温データと身分情報とからなるデータパケットを受信し前記中継設備に発信し、前記中継設備が、前記データパケットを監視センターに伝送する温度計測装置を開示する。
【０００６】
更には、前記通信手段は、ブルートゥースモジュール、４３３無線モジュール、ｚｉｇｂｅｅモジュール、ＷｉＦｉモジュール、２Ｇモジュール、３Ｇモジュール、４Ｇモジュール、５Ｇモジュールの何れか一つ又は複数を含む。
【０００７】
更には、前記ブルートゥースモジュールが、環境におけるスマート設備と通信し、前記スマート設備は、前記データパケットを監視センターに伝送可能である。
【０００８】
更には、前記主制御手段は、ＩＣカード識別手段をさらに接続し、前記ＩＣカード識別手段は、ＩＣカードにおけるユーザー情報を読み出す。
【０００９】
更には、前記温度採集器、ＩＣカード識別手段、通信手段、給電手段、表示手段、パターンコード識別手段は、いずれもＳＰＩインターフェースにより前記主制御手段に接続される。
【００１０】
更には、前記温度採集器は、温度サンサを含む。
【００１１】
本実用新案は、温度計測装置、中継設備、監視平台を含み、前記温度計測装置、中継設備、監視平台が順に接続されるパターンコードを識別可能な温度計測装置を有するシステムであって、前記温度計測装置は、請求項１から６の何れかに記載の温度計測装置であるシステムを開示する。
【００１２】
更には、前記システムは、スマート末端をさらに含み、前記スマート末端は、スマートフォンであり、前記中継設備は、データ受信設備又は信号基地局である。
【００１３】
本技術案のパターンコードを識別可能な温度計測装置及びそのシステムを実施することにより、以下の技術的効果を有する。
先行技術と異なり、温度計測装置にはパターンコード識別手段がなく、パターンコードによりユーザーの身分情報をキャプチャできず、パターンコードにおける身分情報により具体的な被測者の温度データをマクロ繋がることができず、各ユーザーの過去の気温データを作成することは便利ではない。本実用新案におけるパターンコードを識別可能な温度計測装置及びそのシステムによれば、パターンコード識別手段によりユーザーの身分情報をキャプチャし、パターンコードにおける身分情報により具体的な被測者の温度データをマクロ繋がることができ、各ユーザーの過去の気温データを作成することは便利で、被測者の温度データをマクロ監視することにより、重大な隠れた疫病の発見が容易になる。
【図面の簡単な説明】
【００１４】
本実用新案の実施例または技術方案を明確に説明するために、簡単な紹介のために図面を使用する。当然ながら、以下の説明における図面は、本実用新案のいくつかの実施形態に過ぎず、当業者にとっては、創造的な労力を支払わないことを前提として、これらの図面に基づいて他の図面を得ることができる。
【図１】図１は、本実用新案の実施例における一つのパターンコードを識別可能な温度計測装置の構造概念図である。
【図２】図２は、図１における内部回路モジュールの概念図である。
【図３】図３は、本実用新案の実施例における一つパターンコードを識別可能な温度計測装置を有するシステムの概念図である。
【考案を実施するための形態】
【００１５】
本実用新案の実施例における技術方案は、本実用新案の実施例における図面を参照して以下に明確かつ完全に説明される。明らかに、説明された実施例は、本実用新案の実施例の一部にすぎず、すべての実施例ではない。本実用新案の実施例に基づいて、創造的な労力なしに当業者によって得られる他のすべての実施例は、本実用新案の保護範囲に含まれる。
【００１６】
図１、図２を参照して、本実用新案の実施例は、パターンコードを識別可能な温度計測装置１であり、ハウジング１０、温度採集器２０、主制御手段３０、給電手段（図中未示）、表示手段４０を含み、温度採集器２０は、ユーザーの皮膚表面における体温データを採集し、温度採集器２０、給電手段、表示手段４０が、いずれも主制御手段３０と繋がり、表示手段４０は、体温データを表示可能であり、主制御手段３０が、パターンコード識別手段５０と通信手段６０をさらに接続し、パターンコード識別手段５０は、前記パターンコードにおけるユーザーの身分情報をキャプチャ可能であり、通信手段６０と環境における中継設備とは、無線接続が実現され、通信手段６０は、体温データと身分情報とからなるデータパケットを受信し中継設備に発信し、中継設備が、データパケットを監視センターに伝送する。
【００１７】
パターンコードとは、２次元コード又はバーコード等である。パターンコード識別手段５０は、ＷｅＣｈａｔ又はＡｌｉｐａｙ等の第３方のシステムをバインディングして、表示手段４０によりコードをスキャンすることにより個人の身分情報を識別される。
【００１８】
通信手段６０は、ブルートゥースモジュール、４３３無線モジュール、ｚｉｇｂｅｅモジュール、ＷｉＦｉモジュール、２Ｇモジュール、３Ｇモジュール、４Ｇモジュール、５Ｇモジュールの何れか一つ又は複数を含む。
【００１９】
ブルートゥースモジュールが、環境におけるスマート設備と通信し、スマート設備は、データパケットを監視センターに伝送可能である。
【００２０】
主制御手段３０は、ＩＣカード識別手段７０をさらに接続し、ＩＣカード識別手段７０は、ＩＣカードにおけるユーザー情報を読み出す。
【００２１】
ＩＣカード識別手段を設置することにより、被測者が刷ＩＣカードにより個人の身分情報を伝送することが保証される。
【００２２】
温度採集器２０、ＩＣカード識別手段７０、通信手段６０、給電手段、表示手段４０、パターンコード識別手段５０は、いずれもＳＰＩインターフェースにより主制御手段３０に接続される。
【００２３】
温度採集器２０は、温度サンサを含む。
【００２４】
以下に、さらに紹介することを行う。
温度採集器の製品モデル：５０３ＥＴ、
主制御手段の製品モデル：ＨＹ１１Ｐ５４、
ＩＣカード識別手段の製品モデル：ＮＦＣ−ＣＶ５２０−Ｖ１．１、
通信手段の製品モデル：７１８−ＣＮ、
その中、通信手段の製品モデル以下のようになることもできる。
ブルートゥースモジュール：ＮＲＦ５１８２２−ＱＦＡＣ、
４３３無線モジュール：ＣＭ２３００Ａ、
ＺｉｇＢｅｅモジュール：ＣｏｃｏＢｅｅ＿Ｍ１＿ＳＣＨ＿Ｖ０．４、
ＷｉＦｉモジュール：ＨＦ−ＬＰＤ１００−１、
５Ｇモジュール：ＦＭ１５０−ＡＥ、
表示手段の製品５モデル：ＵＧ−６４４８ＨＬＢＥＧ０３、
パターンコード識別手段の製品モデル：ＡＤ１０５＿Ｂ１Ｓ１Ｌ
【００２５】
本実用新案におけるパターンコードを識別可能な温度計測装置の作動する過程は、以下のようになる。
電源を投入して温度計測装置を起動し、被測者が温度計測装置へ２次元コードピクチャを提示し、例えば携帯電話の２次元コードピクチャ（ＷｅＣｈａｔ又はＡｌｉｐａｙシステムに繋がり）により、温度計測装置のパターンコード識別手段が２次元コードにおける身分情報（身分因子ＩＤ）をキャプチャして、温度採集器がユーザーの体温データをキャプチャすることにより、身分情報及び体温データをともに主制御手段に伝送されデータパケットにパッケージ化され、通信手段が体温データと身分情報とからなるデータパケットを受信して中継設備に発信し、中継設備がデータパケットを監視センターに伝送することにより、アーカイブ又は歴史台帳を形成するように医生又は管理者が、それをチェック又は監視することに利便させる。
【００２６】
図３を参照して、パターンコードを識別可能な温度計測装置を有するシステム１００は、温度計測装置、中継設備３００、監視平台２００を含み、温度計測装置、中継設備３００、監視平台２００が順に接続され、温度計測装置は、上記の温度計測装置１である。
【００２７】
システム１００は、スマート末端２５０をさらに含み、スマート末端２５０は、スマートフォンであり、中継設備は、データ受信設備又は信号基地局である。
【００２８】
温度計測装置１と中継設備３００とが、有線やブルートゥースモジュール、４３３無線モジュール、ｚｉｇｂｅｅモジュール、ＷｉＦｉモジュール、２Ｇモジュール、３Ｇモジュール、４Ｇモジュール、５Ｇモジュール等の無線により接続され、中継設備３００が体温データをさらに有線や無線により監視平台２００にアップロードすることにより、ビッグデータの監視と共有が実現される。
【００２９】
本技術案のパターンコードを識別可能な温度計測装置及びそのシステムを実施することにより、以下の技術的効果を有する。
先行技術と異なり、温度計測装置にはパターンコード識別手段がなく、パターンコードによりユーザーの身分情報をキャプチャできず、パターンコードにおける身分情報により具体的な被測者の温度データをマクロ繋がることができず、各ユーザーの過去の気温データを作成することは便利ではない。本実用新案におけるパターンコードを識別可能な温度計測装置及びそのシステムによれば、パターンコード識別手段によりユーザーの身分情報をキャプチャし、パターンコードにおける身分情報により具体的な被測者の温度データをマクロ繋がることができ、各ユーザーの過去の気温データを作成することは便利で、被測者の温度データをマクロ監視することにより、重大な隠れた疫病の発見が容易になる
【００３０】
上記は本実用新案の好ましい実施例にすぎない。実用新案の他のユースケースを制限することを意図するものではなく、実用新案の精神と原則の範囲内で行われた修正、同等の置換、または改善は、実用新案の保護範囲に含まれるべきである。
【図１】
0003227315.tif 000003
【図２】
0003227315.tif 000004
【図３】
0003227315.tif 000005
【手続補正書】
【提出日】令和2年5月22日(2020.5.22)
【手続補正１】
【補正対象書類名】実用新案登録請求の範囲
【補正対象項目名】全文
【補正方法】変更
【補正の内容】
【実用新案登録請求の範囲】
【請求項１】
パターンコードを識別可能な温度計測装置であり、
ハウジング、温度採集器、主制御手段、給電手段、表示手段を含み、
前記温度採集器は、ユーザーの皮膚表面における体温データを採集し、
前記温度採集器、給電手段、表示手段が、いずれも前記主制御手段と繋がり、
前記表示手段は、前記体温データを表示する温度計測装置であって、
前記主制御手段が、パターンコード識別手段と通信手段をさらに接続し、
前記パターンコード識別手段は、前記パターンコードにおけるユーザーの身分情報をキャプチャ可能であり、
前記通信手段と環境における中継設備とは、無線接続が実現され、
前記通信手段は、前記体温データと身分情報とからなるデータパケットを受信し前記中継設備に発信し、
前記中継設備が、前記データパケットを監視センターに伝送することを特徴とする温度計測装置。
【請求項２】
前記通信手段は、ブルートゥース（登録商標）モジュール、４３３無線モジュール、ｚｉｇｂｅｅ（登録商標）モジュール、ＷｉＦｉモジュール、２Ｇモジュール、３Ｇモジュール、４Ｇモジュール、５Ｇモジュールの何れか一つ又は複数を含むことを特徴とする請求項１に記載の温度計測装置。
【請求項３】
前記ブルートゥース（登録商標）モジュールが、環境におけるスマート設備と通信し、
前記スマート設備は、前記データパケットを監視センターに伝送可能である、ことを特徴とする請求項２に記載の温度計測装置。
【請求項４】
前記主制御手段は、ＩＣカード識別手段をさらに接続し、
前記ＩＣカード識別手段は、ＩＣカードにおけるユーザー情報を読み出す、ことを特徴とする請求項２に記載の温度計測装置。
【請求項５】
前記温度採集器、ＩＣカード識別手段、通信手段、給電手段、表示手段、パターンコード識別手段は、いずれもＳＰＩインターフェースにより前記主制御手段に接続される、ことを特徴とする請求項４に記載の温度計測装置。
【請求項６】
前記温度採集器は、温度センサを含む、ことを特徴とする請求項１に記載の温度計測装置。
【請求項７】
温度計測装置、中継設備、監視平台を含み、前記温度計測装置、中継設備、監視平台が順に接続されるパターンコードを識別可能な温度計測装置を有するシステムであって、
前記温度計測装置は、請求項１から６の何れかに記載の温度計測装置である、ことを特徴とするシステム。
【請求項８】
前記システムは、スマート末端をさらに含み、
前記スマート末端は、スマートフォンであり、
前記中継設備は、データ受信設備又は信号基地局である、ことを特徴とする請求項７に記載のシステム。